(57)【要約】      （修正有）【課題】簡易な構造で、クッション性を有し、体に３次元的にフィット感が高い座面を有する椅子を提供する。【解決手段】座部に可撓性を有する面材を配置し、面材を支持する両側の枠５、６の上面５ａ、６ａを前後方向に上下する波状面に形成し面材の両側部を前後方向において上下する波状に支持すると共に前側の枠７の上面７ａを左右方向の中央部が加工する円弧面に形成し面材の前部を左右方向の中央部が加工する円弧状に支持する。また、背もたれ部には可撓性を有する帯材２５、２６、２７を縦横に張設し、その前側に可撓性を有する背受け面材３０を張設し、更に、背受け面材３０の前部と座部の上部とを一連状に被覆する可撓性を有するカバーを配置する。【選択図】図４
2005152076.tif 000002
【特許請求の範囲】
【請求項１】
座部に可撓性を有する面材を配置し、該面材の両側部を、前後方向において上下する波状に支持したことを特徴とする椅子。
【請求項２】
前記面材を支持する両側の枠の上面を、前後方向において上下する波状面に形成して、面材の両側を波状に支持した請求項１記載の椅子。
【請求項３】
前記面材の前側部を、左右方向の中央部が下降する円弧状に支持した請求項１記載の椅子。
【請求項４】
前記面材を支持する前側の枠の上面を、左右方向の中央部が下降する円弧面に形成して、面材の前側部を支持した請求項３記載の椅子。
【請求項５】
背もたれ部に、可撓性を有する帯材を縦横に張設し、該帯材の前側に可撓性を有する背受け面材を張設し、更に、前記背受け面材の前部と座部の上部とを一連状に被覆する可撓性を有するカバーを配置した請求項１乃至４のいずれかに記載の椅子。
【発明の詳細な説明】
【技術分野】
【０００１】
本発明は椅子に関する。
【背景技術】
【０００２】
従来、椅子の座面を形成する構造として図９に示すように、前脚１０１，１０２と後脚１０３，１０４との間に、前座枠１０５と後座枠１０６と、左座枠１０７と右座枠１０８を架設し、該各座枠１０５〜１０８上に、その各上面１０５ａ〜１０８ａを支持面として伸縮材を張設し、該伸縮材上にクッション材を介して被覆材を張って形成したものが知られている。
【０００３】
しかし、このような構造のものにおいては、前記各座枠１０５〜１０８の上面１０５ａ〜１０８ａが一平面に沿った平面、すなわち、前後方向にも左右方向にも平面に形成されているため、前記のように、伸縮材やクッション材を設けても、座面のどの部分もクッション性が同じになり、体圧分散が良くなく、人体のでん部にフィットしない問題があった。
【０００４】
また、成形合板や合成樹脂の硬板で座面を曲面に形成したものも知られているが、この硬板に直接着席するため、クッション性がなく、底付き感があるなどの問題がある。
【発明の開示】
【発明が解決しようとする課題】
【０００５】
本発明は、クッション性を有し、かつ、体に３次元的にフィットする座面を形成することができる椅子を提供することを目的とするものである。
【課題を解決するための手段】
【０００６】
前記の課題を解決するために、請求項１記載の発明は、座部に可撓性を有する面材を配置し、該面材の両側部を、前後方向において上下する波状に支持したことを特徴とするものである。
【０００７】
請求項２記載の発明は、請求項１記載の発明において、前記面材を支持する両側の枠の上面を、前後方向において上下する波状面に形成して、面材の両側を波状に支持したものである。
【０００８】
請求項３記載の発明は、請求項１記載の発明において、前記面材の前側部を、左右方向の中央部が下降する円弧状に支持したものである。
【０００９】
請求項４記載の発明は、請求項３記載の発明において、前記面材を支持する前側の枠の上面を、左右方向の中央部が下降する円弧面に形成して、面材の前側部を支持したものである。
【００１０】
請求項５記載の発明は、請求項１乃至４のいずれかに記載の発明において、背もたれ部に、可撓性を有する帯材を縦横に張設し、該帯材の前側に可撓性を有する背受け面材を張設し、更に、前記背受け面材の前部と座部の上部とを一連状に被覆する可撓性を有するカバーを配置したものである。
【発明の効果】
【００１１】
請求項１記載の発明によれば、可撓性を有する面材の両側部を、前後方向の波状に支持したので、この波形状を所望に設定することにより、この予め形成された面材の波形状と面材の可撓性によって座面を、着席する人のでん部にフィットさせることができ、フィット感のある座部を作り出すことができる。したがって、フィット感とクッション性を持ちながら、薄くてスリムな座のデザインを可能にする。
【００１２】
請求項２記載の発明によれば、両側の枠の上面を波状にすることにより、簡易な構造で前記の効果が得られる。
【００１３】
請求項３記載の発明によれば、更に、面材の前側部を円弧状にすることにより、一層フィット感を高めることができる。
【００１４】
請求項４記載の発明によれば、前側の枠の上面を下降する円弧状に形成することにより、簡易な構造で前記請求項３の効果が得られる。
【００１５】
請求項５記載の発明によれば、カバーをクッション性のある材質で形成することにより、更に、座部のクッション性を高め、かつ、背もたれのクッション性を高め、全体として座り心地の良い椅子を提供することができる。
【発明を実施するための最良の形態】
【００１６】
本発明を実施するための最良の形態を図１乃至図８に示す実施例に基づいて説明する。
先ず、図４に示す椅子の枠体について説明する。
図４において、１は左側の前脚、２は右側の前脚、３は左側の後脚、４は右側の後脚である。
【００１７】
前記左側の前脚１と左側の後脚３の上部間には左側座枠５が固定して架設され、右側の前脚２と右側の後脚４の上部間には右側座枠６が固定して架設されている。
また、前記左側の前脚１と右側の前脚２の上部間には前側座枠７が固定して架設され、前記左側座枠５の後部と右側座枠６の後部間には後側座枠８が固定して架設されている。
【００１８】
前記左右の座枠５，６における支持面を構成する上面５ａ，６ａは、その前後方向（図のＡ方向を前方向とし、Ｂ方向を後方向とする）の中間部に凹面５ｂ，６ｂを設け、該凹面５ｂ，６ｂの前後に位置して、凹面５ｂ，６ｂに対して隆起した前側隆起面５ｃ，６ｃと後側隆起面５ｄ，６ｄを設けて波状に形成されている。前記凹面５ｂ，６ｂは、上方に中心を有する曲面で形成され、該凹面５ｂ，６ｂから前記前側隆起面５ｃ，６ｃと後側隆起面５ｄ，６ｄへは、下方に中心を有する曲面で連続され、これら曲面は滑らかに連続している。
【００１９】
また、前記凹面５ｂ，６ｂの最低部Ｅは、図６（ａ）に示すように、前後方向Ａ−Ｂにおける中央部より幾分後方に位置した部分に設定されており、実施に際しては、左右の座枠５，６の全長Ｌ１に対し、その後端から前方へ約１／３の距離Ｌ２の部分に最低部Ｅを設定した。
【００２０】
前記凹面５ｂ，６ｂの前後方向の長さや、曲面形状や、最低部Ｅの位置は、椅子の大きさなどに合わせて所望に設定するものである。
前記前側座枠７は、前記左右の座枠５，６と同一高さの位置に設けられており、該前側座枠７の上面７ａで形成された支持面は、図７（ａ）に示すように、その左右方向（図４のＣ方向を左方向とし、Ｄ方向を右方向とする）においてその中央部が下降する円弧面で形成され、その中央部を最低部Ｆとし、両側端間にわたる一つの円弧状の面で形成されている。該上面７ａの両側部７ｃ，７ｄは，前記左右の座枠５，６における前側隆起面５ｃ，６ｃおよび両側脚１，２の上端面と同一高さに設定されている。
【００２１】
後側座枠８の上面８ａで形成される支持面は平面に形成されている。なお、該後側座枠８の上面８ａは必要により上下方向の曲面にしてもよい。
前記各座枠５〜８により構成される略方形の上面５ａ〜８ａには、図１および図２に示す座部材９が載置されている。
【００２２】
該座部材９は、図５に示す張り込み枠１０に図８に示すような面材などを張設して構成されている。
前記張り込み枠１０は、図５に示すように、左枠棧１１と、右枠棧１２と、前枠棧１３と後枠棧１４とにより、前記各座枠５〜８上に載置する略方形に形成されている。
【００２３】
左枠棧１１の下面１１ａと上面１１ｂは、前記左側座枠５における上面５ａの波形状に沿った波状に形成され、該左枠棧１１の前後方向長は、その後端が左側座枠５の略後端上に位置し、前端が左側座枠５の前端よりも若干突出する長さに設定されている。
【００２４】
右枠棧１２の下面１２ａと上面１２ｂは前記右側座枠６における上面６ａの波形状に沿った波状に形成され、該右枠棧１２の前後方向長は、その後端が右側座枠６の略後端上に位置し、前端が右側座枠６の前端よりも若干突出する長さに設定されている。
【００２５】
前枠棧１３の下面１３ａと上面１３ｂは、前記前側座枠７における上面７ａの曲面に沿った曲面に形成されている。
後枠棧１４の下面１４ａと上面１４ｂは、前記後側座枠８の上面８ａと同様の平面に形成されている。なお、後側座枠８の上面８ａを上下方向の曲面に形成した場合には、この面に合わせて後枠棧１４の下面１４ａと上面１４ｂも上下方向の曲面に形成する。
【００２６】
前記張り込み枠１０の上面には、図８に示すように面材１５が配置され、その周囲縁が各枠棧１１〜１４の上面１１ｂ〜１４ｂに止着して支持されている。この止着手段１６は適宜手段を用いるが、実施例ではタッカー針を使用して止着している。また、この面材１５は、人が着座した場合、その外力によって曲がり変形する可撓性材料で形成されている。
【００２７】
また、この面材１５の止着方法は、先ず、面材１５を左右方向に引っ張りながら、その左右縁を左右の枠棧１１，１２の上面１１ｂ，１２ｂの波形状に合わせて波面を作って左右の枠棧１１，１２の上面１１ｂ，１２ｂに止着し、次に面材１５を前後方向に引っ張りながら、その前後縁を前後の枠棧１３，１４の上面１３ｂ，１４ｂに止着する。
【００２８】
この面材１５は、可撓性を有するもの或いは可撓性とともに伸縮性を有するものを使用するもので、例えば、通常の布でもよいが、伸縮性を有する樹脂、例えばポリエステルやナイロンを経糸と緯糸の双方に用いたり、或いは一方に用いて織成したポリエステルメッシュやナイロンメッシュを使用すると良い。
【００２９】
前記面材１５の上面には、所定の厚みを有する板状のクッション材１７が配置されている。該クッション材１７としては、ウレタン、綿、ゴムなどでもよい。
【００３０】
前記クッション材１７の上面には、布、革、合成皮革などからなる表張材１８が張られ、その周縁１８ａは、前記張り込み枠１０の各枠棧１１〜１４の下面１１ａ〜１４ａに適宜止着手段１９により止着されている。この止着手段１９として、実施例ではタッカー針を用いている。該表張材１８の張り方は、前記面材１５の張り方と同様である。
【００３１】
このように張設された表張材１８の周囲の下面と上面は、各枠棧１１〜１４の下面１１ａ〜１４ａと上面１１ｂ〜１４ｂに沿った、すなわち前記各座枠５〜８の上面５ａ〜８ａに沿った面になる。
【００３２】
そして、このように形成された座部材９を、図１及び図２に示すように、その左右側下面の波形面と左右の座枠５，６の上面５ａ〜６ａにおける波形面とを合致させ、また、前側下面の曲面と前側座枠７の上面７ａにおける曲面とを合致させて、各座枠５〜８上に載置する。
【００３３】
次で、前記座部材９を、適宜固着手段により各座枠５〜８に固定する。この固着手段として実施例では、左右の座枠５，６および前枠７にボルト孔２０を形成し、左右の枠棧１１，１２および前枠棧１３にねじ穴２１を形成してこれらをボルト２２により固着している。
【００３４】
以上により、表張材１８の表面、すなわち座部材９の表面は、図２に示すように、前後方向に対しては左右の座枠５，６における上面５ａ，６ａと同一形状の波形状面Ｆ−Ｇに形成され、左右方向に対しては、前側座枠７における上面７ａと同一形状の曲面Ｈ−Ｉに形成されて、３次元状の面に形成される。
【００３５】
次に、背もたれ部について説明する。
前記の左右の後脚３，４は図４に示すように、座部よりも上方へ延長して形成されており、これらの上端間に、もたれ上棧２３が架設され、また、中間部間に、もたれ中棧２４が架設されている。
【００３６】
また、前記もたれ上棧２３と、もたれ中棧２４との間には左右方向の略中央部に位置して２本の帯材２５，２６が縦方向で、かつ、平行に配置されて張設されている。また、前記もたれ上棧２３と、もたれ中棧２４の間であって、もたれ中棧２４寄りに位置して１本の帯材２７が、横方向に、かつ、前記２本の帯２５，２６の後側を通って左右の後脚３，４間に張設されている。これら縦横に架設された３本の帯材２５，２６，２７は、麻布製帯または樹脂製帯などの可撓性を有する材料で形成されている。
【００３７】
また、左右の後脚３，４の上部と、もたれ上棧２３と、もたれ下棧２４には、これらにより囲まれた空間２８側であって、かつ、前側に位置する縁部において溝２９が形成されている。
【００３８】
前記空間２８部には、背受け面材３０が、前記３本の帯材２５，２６，２７の前側に配置され、かつ、その背受け面材３０の周縁を前記溝２９に嵌合固着して張設されている。該背受け面材３０は、耐久性、柔軟性のある材料、例えば麻布又は樹脂材などで形成されている。
【００３９】
前記の背受け面材３０部から座面部上にかけて、カバー３１が配置されている。該カバー３１は、図１乃至図３に示すように、一端部に、後脚３，４の上部に被せて保持されるようにした袋部３１ａと、該袋部３１ａの前側片を下方へ延長して形成したもたれ部３１ｂと、更に下方へ延長して座面、すなわち前記座部材９の上面に被せるシート部３１ｃとを一連に形成してなる。前記袋部３１ａの後片３１ｄの下縁部３１ｅは、図３に示すように、前記もたれ中棧２４の下面に折曲して、該下面にホックやボタンや面ファスナなどの取付手段３２で取り外し可能に止着し、また、シート部３１ｃの前端縁３１ｆは、図１に示すように、前記座部材９の前縁下面にホックやボタンや面ファスナなどの取付手段３３により取り外し可能に止着されている。
【００４０】
前記カバー３１は、布、革、樹脂繊維製布などで形成され、表張り材としての機能を有する。更に、このカバー３１を、布、革などで薄いウレタンなどのクッション材を挟んでクッション性を有するものとし、表張り材とクッション材の機能をもたせてもよい。例えば３次元状に織成されて、クッション性を有するネット状のものを使用するとよい。
【００４１】
以上の構造において、座部材９上に人が着席すると、その人体の荷重によって、カバー３１のシート部３１ｃと座部材９の表張材１８と、クッション材１７と面材１５が下方へたわむ。
【００４２】
このとき、面材１５の両側が張り込み枠１０の左右の枠棧１１，１２によって波形状に支持されて、面材１５の略全面が前後方向において、でん部に位置する部分を凹部とした波形面に形成され、かつ、面材１５が可撓性を有することにより、この面材１５が着席者のでん部にフィットする曲面に容易に変形する。
【００４３】
更に、面材１５の前側部が、張り込み枠１０の前棧１３によって中央部が下降する曲面状に支持されているため、面材１５が前記の波形状と相まって３次元的にでん部にフィットする。
【００４４】
したがって、従来のような、平面的な枠間にバネや、ウレタンを配置してクッション性を出すものと比べて、人体へのフィット感に優れ、掛け心地を向上させることができる。
また、従来の座板を成形合板で曲面に形成して人体にフィットさせるものにおいては、板であるため底付き感があるが、本発明においては、このような底付き感がない。
【００４５】
また、本発明のように、予め前記のような波形状や曲面を形成しておくことにより、クッション性を有し、かつ、人体にフィットする座部を、薄くてスリムなデザインで形成することを可能にする。
更に、前記の面材１５を、伸縮性のある材料で形成することにより、一層フィット感を高めることができる。
【００４６】
更に、背もたれ部に、前記のような帯材２５〜２７を張設し、その前側に前記のような背受け面材３０を張設したので、着席してもたれた場合に、背中当たりを良くし、体に合ったフィット感を出すことができる上に、適度なホールド感、しっかりしたホールド感を持たせることができる。
更に、前記のカバー３１を、表張り材を兼ねたクッション材で形成すると、背もたれ部と座部が、薄く、軽く、クッション性の良い椅子を提供できる。
【００４７】
なお、前記実施例においては、面材１５を張り込み枠１０に張って、これを各座枠５〜８上に載置するようにしたが、前記の面材１５の周縁を、前記各座枠５〜８の上面５ａ〜８ａに直接止着して、面材１５を各座枠５〜８で支持するようにしてもよい。そして、この面材１５の上部に前記のクッション材１７や表張材１８を張ってもよい。このような構造においても前記実施例と同様の作用、効果を発揮することができる。
【図面の簡単な説明】
【００４８】
【図１】本発明の実施例を示す椅子の側面図。
【図２】図１の斜視図で、カバーの一部を鎖線で示している。
【図３】図１におけるカバーの上部の側断面図。
【図４】本発明の椅子における枠部を示す斜視図。
【図５】張り込み枠を示す斜視図。
【図６】（ａ）は左側の座枠を示す側面図、（ｂ）は張り込み枠の左側の枠棧を示す側面図。
【図７】（ａ）は前側の座枠を示す前面図、（ｂ）は張り込み枠の前側の枠棧を示す前面図。
【図８】座部材を示す断面図。
【図９】従来の椅子の枠を示す斜視図。
【符号の説明】
【００４９】
５〜８  座枠
５ａ〜８ａ  座枠の上面
１０  張り込み枠
１１〜１４  枠棧
１１ａ〜１４ａ  枠棧の下面
１１ｂ〜１４ｂ  枠棧の上面
１５    面材
２５〜２７  背もたれ部の帯材
３０  背受け面材
３１  カバー  
【図１】
2005152076.tif 000003
【図２】
2005152076.tif 000004
【図３】
2005152076.tif 000005
【図４】
2005152076.tif 000006
【図５】
2005152076.tif 000007
【図６】
2005152076.tif 000008
【図７】
2005152076.tif 000009
【図８】
2005152076.tif 000010
【図９】
2005152076.tif 000011